(57)【特許請求の範囲】
【請求項１】
所望のブロードキャストチャネルを得るための方法であって、
ピアツーピアネットワーク内の複数のピアにおいてブロードキャストネットワーク内の複数のブロードキャスト送信機から複数の異なるブロードキャストチャネルを受信することと、ここにおいて、前記受信された複数の異なるブロードキャストチャネルは協調多入力多出力（ＭＩＭＯ）を使用して変調されおよび前記複数のピアは分散ＭＩＭＯ受信機として互いに協調する、
ピアツーピアネットワークを通じて少なくとも１つのピアツーピアネットワークピアに前記受信された複数の異なるブロードキャストチャネルを送信することと、
前記ピアツーピアネットワークを通じて少なくとも１つのピアツーピアネットワークピアから所望のブロードキャストチャネルを受信することと、
前記所望のブロードキャストチャネルを再生することと、
ルックアップテーブルを用いて前記受信された複数の異なるブロードキャストチャネルのための各チャネルアドレスを対応するピアツーピアネットワークチャネルに変換することと、ここにおいて、前記ルックアップテーブルは、前記ブロードキャストネットワークのマッピングされたチャネル、対応するピアツーピアネットワークのマッピングされたチャネル、及び前記ブロードキャストネットワークのマッピングされたチャネルを受信するモバイルデバイスの識別子を備える、テーブルである、
前記ルックアップテーブルを用いて前記受信された複数の異なるブロードキャストチャネルを復号することと、
を備える方法。
【請求項２】
前記ブロードキャストチャネルは、高精細度テレビ（ＨＤＴＶ）チャネルである請求項１に記載の方法。
【請求項３】
前記受信されたブロードキャストチャネルの前記信号品質を向上させるために前記ピアツーピアネットワークのピアと協調することをさらに備える請求項１に記載の方法。
【請求項４】
前記ブロードキャストネットワークからブロードキャスト送信の一部のみを受信するために受信符号を用いることをさらに備え、前記ブロードキャスト送信は、１つ又は複数のブロードキャストチャネルを含む請求項１に記載の方法。
【請求項５】
ブロードキャストチャネルを受信するためにピアツーピアネットワークに登録することをさらに備え、前記方法は、モバイルデバイスによって実行され、ピアツーピアネットワークに登録することは、
前記モバイルデバイスが届く範囲内の１つ又は複数のピアツーピアネットワークを検出することと、
前記モバイルデバイスが届く範囲内のピアツーピアネットワークに登録することと、
前記モバイルデバイスが登録されている前記ピアツーピアネットワークのための入手可能なチャネル情報を要求することと、
前記モバイルデバイスが登録されている前記ピアツーピアネットワークのための入手可能なチャネル情報を受信することと、
ブロードキャストネットワークから受信するブロードキャストチャネルを決定することと、
を備える請求項１に記載の方法。
【請求項６】
前記ピアツーピアネットワークに新しいピアが加えられたときに前記ルックアップテーブルを更新することをさらに備える請求項１に記載の方法。
【請求項７】
前記ピアツーピアネットワークからピアが外されたときに前記ルックアップテーブルを更新することをさらに備える請求項１に記載の方法。
【請求項８】
前記所望のブロードキャストチャネルを再生することは、高精細度テレビ（ＨＤＴＶ）ビデオディスプレイ上に前記所望のブロードキャストチャネルを表示することを備える請求項２に記載の方法。
【請求項９】
前記受信されたブロードキャストチャネルを送信することは、前記ピアツーピアネットワークを通じて複数のピアツーピアネットワークピアに前記受信されたブロードキャストチャネルを送信することをさらに備える請求項１に記載の方法。
【請求項１０】
前記所望のブロードキャストチャネルを受信することは、複数のピアツーピアネットワークピアから前記所望のブロードキャストチャネルを受信することをさらに備える請求項１に記載の方法。
【請求項１１】
ハイブリッドブロードキャスト及びピアツーピアネットワークにおける動作のために構成された無線デバイスであって、
プロセッサと、
前記プロセッサと電子的に通信するメモリと、
前記メモリに格納された命令と、を備え、前記命令は、
ブロードキャストネットワーク内の複数のブロードキャスト送信機から複数の異なるブロードキャストチャネルを受信することと、ここにおいて、前記受信された複数の異なるブロードキャストチャネルは協調多入力多出力（ＭＩＭＯ）を使用して変調される、
分散ＭＩＭＯ受信機を形成するために１つまたは複数のピアツーピアネットワークピアと協調することと、
ピアツーピアネットワークを通じて少なくとも１つのピアツーピアネットワークピアに前記受信された複数の異なるブロードキャストチャネルを送信することと、
前記ピアツーピアネットワークを通じて少なくとも１つのピアツーピアネットワークから所望のブロードキャストチャネルを受信することと、
前記所望のブロードキャストチャネルを再生することと、
ルックアップテーブルを用いて前記受信された複数の異なるブロードキャストチャネルのための各チャネルアドレスを対応するピアツーピアネットワークチャネルに変換することと、ここにおいて、前記ルックアップテーブルは、前記ブロードキャストネットワークのマッピングされたチャネル、対応するピアツーピアネットワークのマッピングされたチャネル、及び前記ブロードキャストネットワークのマッピングされたチャネルを受信するモバイルデバイスの識別子を備える、テーブルである、および
前記ルックアップテーブルを用いて前記受信された複数の異なるブロードキャストチャネルを復号することと、
を前記プロセッサによって実行可能である、無線デバイス。
【請求項１２】
前記ブロードキャストチャネルは、高精細度テレビ（ＨＤＴＶ）チャネルである請求項１１に記載の無線デバイス。
【請求項１３】
前記命令は、前記受信されたブロードキャストチャネルの前記信号品質を向上させるために前記ピアツーピアネットワークのピアと協調するためにさらに実行可能である請求項１１に記載の無線デバイス。
【請求項１４】
前記命令は、前記ブロードキャストネットワークからブロードキャスト送信の一部のみを受信するために受信符号を用いるためにさらに実行可能であり、前記ブロードキャスト送信は、１つ又は複数のブロードキャストチャネルを含む請求項１１に記載の無線デバイス。
【請求項１５】
前記命令は、ブロードキャストチャネルを受信するためにピアツーピアネットワークに登録するためにさらに実行可能であり、ピアツーピアネットワークに登録することは、
前記モバイルデバイスが届く範囲内の１つ又は複数のピアツーピアネットワークを検出することと、
前記モバイルデバイスが届く範囲内のピアツーピアネットワークに登録することと、
前記モバイルデバイスが登録されている前記ピアツーピアネットワークのための入手可能なチャネル情報を要求することと、
前記モバイルデバイスが登録されている前記ピアツーピアネットワークのための入手可能なチャネル情報を受信することと、
ブロードキャストネットワークから受信するブロードキャストチャネルを決定することと
を備える請求項１１に記載の無線デバイス。
【請求項１６】
前記命令は、前記ピアツーピアネットワークに新しいピアが加えられたときに前記ルックアップテーブルを更新するためにさらに実行可能である請求項１１に記載の無線デバイス。
【請求項１７】
前記命令は、前記ピアツーピアネットワークからピアが外されたときに前記ルックアップテーブルを更新するためにさらに実行可能である請求項１１に記載の無線デバイス。
【請求項１８】
前記所望のブロードキャストチャネルを再生することは、高精細度テレビ（ＨＤＴＶ）ビデオディスプレイ上に前記所望のブロードキャストチャネルを表示することを備える請求項１２に記載の無線デバイス。
【請求項１９】
前記受信されたブロードキャストチャネルを送信するための前記命令は、前記ピアツーピアネットワークを通じて複数のピアツーピアネットワークピアに前記受信されたブロードキャストチャネルを送信するためにさらに実行可能である請求項１１に記載の無線デバイス。
【請求項２０】
前記所望のブロードキャストチャネルを受信するための前記命令は、複数のピアツーピアネットワークピアから前記所望のブロードキャストチャネルを受信するためにさらに実行可能である請求項１１に記載の無線デバイス。
【請求項２１】
前記無線デバイスは、モデムである請求項１１に記載の無線デバイス。
【請求項２２】
前記無線デバイスは、ブロードキャストネットワーク及びピアツーピアネットワークと同時並行して通信することが可能なモデムである請求項１１に記載の無線デバイス。
【請求項２３】
ハイブリッドブロードキャスト及びピアツーピアネットワークにおける動作のために構成された無線デバイスであって、
ブロードキャストネットワーク内の複数のブロードキャスト送信機から複数の異なるブロードキャストチャネルを受信するための手段と、ここにおいて、前記受信された複数の異なるブロードキャストチャネルは協調多入力多出力（ＭＩＭＯ）を使用して変調される、
分散ＭＩＭＯ受信機を形成するために１つまたは複数のピアツーピアネットワークピアと協調するための手段と、
ピアツーピアネットワークを通じて少なくとも１つのピアツーピアネットワークピアに前記受信された複数の異なるブロードキャストチャネルを送信するための手段と、
前記ピアツーピアネットワークを通じて少なくとも１つのピアツーピアネットワークピアから所望のブロードキャストチャネルを受信するための手段と、
前記所望のブロードキャストチャネルを再生するための手段と、
ルックアップテーブルを用いて前記受信された複数の異なるブロードキャストチャネルのための各チャネルアドレスを対応するピアツーピアネットワークチャネルに変換するための手段と、ここにおいて、前記ルックアップテーブルは、前記ブロードキャストネットワークのマッピングされたチャネル、対応するピアツーピアネットワークのマッピングされたチャネル、及び前記ブロードキャストネットワークのマッピングされたチャネルを受信するモバイルデバイスの識別子を備える、テーブルである、
前記ルックアップテーブルを用いて前記受信された複数の異なるブロードキャストチャネルを復号するための手段と、
を備える、無線デバイス。
【請求項２４】
ハイブリッドブロードキャスト及びピアツーピアネットワークにおける動作のために構成された無線デバイスのためのコンピュータ読み取り可能な記憶媒体であって、前記コンピュータ読み取り可能な記憶媒体には複数の命令が格納されており、前記複数の命令は、
ブロードキャストネットワーク内の複数のブロードキャスト送信機から複数の異なるブロードキャストチャネルを受信するための符号と、ここにおいて、前記受信された複数の異なるブロードキャストチャネルは協調多入力多出力（ＭＩＭＯ）を使用して変調される、
分散ＭＩＭＯ受信機を形成するために１つまたは複数のピアツーピアネットワークピアと協調するための符号と、
ピアツーピアネットワークを通じて少なくとも１つのピアツーピアネットワークピアに前記受信された複数の異なるブロードキャストチャネルを送信するための符号と、
前記ピアツーピアネットワークを通じて少なくとも１つのピアツーピアネットワークピアから所望のブロードキャストチャネルを受信するための符号と、
前記所望のブロードキャストチャネルを再生するための符号と、
ルックアップテーブルを用いて前記受信された複数の異なるブロードキャストチャネルのための各チャネルアドレスを対応するピアツーピアネットワークチャネルに変換するための符号と、ここにおいて、前記ルックアップテーブルは、前記ブロードキャストネットワークのマッピングされたチャネル、対応するピアツーピアネットワークのマッピングされたチャネル、及び前記ブロードキャストネットワークのマッピングされたチャネルを受信するモバイルデバイスの識別子を備える、テーブルである、
前記ルックアップテーブルを用いて前記受信された複数の異なるブロードキャストチャネルを復号するための符号と、
を備える、コンピュータ読み取り可能な記憶媒体。
【請求項２５】
無線通信システムであって、
ブロードキャストネットワークと、
ピアツーピアネットワークと、を備え、
前記ブロードキャストネットワークは、複数のブロードキャスト送信機と、少なくとも２つの受信モバイルデバイスと、を備え、ブロードキャスト送信機は、前記受信モバイルデバイスに複数のブロードキャスト送信を送信し、各ブロードキャスト送信は複数の異なるブロードキャストチャネルを含み、協調多入力多出力（ＭＩＭＯ）を使用して変調され、および、前記受信モバイルデバイスは分散ＭＩＭＯ受信機として互いに協調し、
前記ピアツーピアネットワークは、前記少なくとも２つの受信モバイルデバイスを備え、前記受信モバイルデバイスのうちの少なくとも１つは、前記複数のブロードキャスト送信機から前記複数のブロードキャスト送信を受信し、前記複数のブロードキャスト送信を受信する前記受信モバイルデバイスは、前記ピアツーピアネットワーク内のその他のモバイルデバイスと前記複数のブロードキャスト送信を共有し、
前記受信モバイルデバイスは、ルックアップテーブルを用いて、受信された複数の異なるブロードキャストチャネルのための各チャネルアドレスを対応するピアツーピアネットワークチャネルに変換し、ここにおいて、前記ルックアップテーブルは、前記ブロードキャストネットワークのマッピングされたチャネル、対応するピアツーピアネットワークのマッピングされたチャネル、及び前記ブロードキャストネットワークのマッピングされたチャネルを受信するモバイルデバイスの識別子を備える、テーブルであり、
前記少なくとも２つの受信モバイルデバイスは、ルックアップテーブルを用いて前記受信された複数のブロードキャスト送信を復号する、
無線通信システム。
【請求項２６】
前記ピアツーピアネットワークにおける各モバイルデバイスは、仮想多入力多出力（ＭＩＭＯ）受信機における受信アンテナとして働く請求項２５に記載の無線通信システム。
【請求項２７】
前記ピアツーピアネットワークにおける各モバイルデバイスは、前記複数のブロードキャスト送信を復号するために協調する請求項２５に記載の無線通信システム。
【請求項２８】
前記複数のブロードキャスト送信は、高精細度テレビ（ＨＤＴＶ）チャネルである請求項２５に記載の無線通信システム。
【請求項２９】
前記ルックアップテーブルは、追加の受信モバイルデバイスが前記ピアツーピアネットワークに加えられたときに更新される請求項２５に記載の無線通信システム。
【発明の詳細な説明】
【技術分野】
【０００１】
関連出願
本出願は、“Co-Operative MIMO for Hybrid Broadcast and P2P Network for HD video”（ＨＤビデオのためのハイブリッドブロードキャスト及びＰ２Ｐネットワークのための協調ＭＩＭＯ）に関する米国仮特許出願一連番号第６１／１０７，８５９号（出願日：２００８年１０月２３日）に関するものであり及び“Co-Operative MIMO for Hybrid Broadcast and P2P Network for HD video” （ＨＤビデオのためのハイブリッドブロードキャスト及びＰ２Ｐネットワークのための協調ＭＩＭＯ）に関する米国仮特許出願一連番号第６１／１０７，８５９号（出願日：２００８年１０月２３日）からの優先権を主張するものである。
【０００２】
本開示は、概して、通信システムに関するものである。本開示は、より具体的には、協調ＭＩＭＯ（ｃｏｏｐｅｒａｔｉｖｅ  ＭＩＭＯ）を用いるハイブリッドブロードキャスト及びピアツーピアネットワークのための方法及び装置に関するものである。
【背景技術】
【０００３】
様々なタイプの通信コンテンツ、例えば音声、映像、データ、等、を提供することを目的として無線通信システムが広範囲にわたって配備されている。これらのシステムは、１つ又は複数の基地局との複数の端末の同時通信をサポートすることが可能な多元接続システムであることができる。
【０００４】
ここにおいて用いられる場合において、用語“移動局”は、無線通信ネットワークを通じての音声及び／又はデータの通信のために用いることができる電子デバイスを意味する。移動局の例は、携帯電話と、パーソナルデジタルアシスタント（ＰＤＡ）と、ハンドヘルドデバイスと、無線モデムと、ラップトップコンピュータと、パーソナルコンピュータと、等を含む。移動局は、代替として、アクセス端末、モバイル端末、加入者局、遠隔局、ユーザ端末、端末、加入者ユニット、ユーザ装置、等と呼ぶことができる。
【０００５】
無線通信ネットワークは、複数の移動局のための通信を提供することができ、それらの各々は、基地局によってサービスを提供することができる。基地局は、代替として、アクセスポイント、ノードＢ、又は何らかのその他の用語で呼ぶことができる。
【０００６】
移動局は、アップリンク及びダウンリンクでの送信を介して１つ又は複数の基地局と通信することができる。アップリンク（又は逆方向リンク）は、移動局から基地局への通信リンクを意味し、ダウンリンク（又は順方向リンク）は、基地局から移動局への通信リンクを意味する。
【０００７】
無線システム（例えば、多元接続システム）における端末と基地局との間での通信は、順方向リンク及び逆方向リンクから成る無線リンクにおける送信を通じて行われる。該通信リンクは、単入力単出力（ＳＩＳＯ）、多入力単出力（ＭＩＳＯ）、又は多入力多出力（ＭＩＭＯ）システムを介して確立することができる。ＭＩＭＯシステムは、データ送信のための複数（ＭＴ）の送信アンテナ及び複数（ＭＲ）の受信アンテナをそれぞれ装備する送信機及び受信機から成る。ＳＩＳＯシステム及びＭＩＳＯシステムは、ＭＩＭＯシステムの特定の例である。ＭＩＭＯシステムは、複数の送信アンテナ及び受信アンテナによって創出された追加の次元が利用される場合に向上された性能（例えば、より高いスループット、より大きい容量、又は向上された信頼性）を提供することができる。
【０００８】
ブロードキャストネットワークは、高精細度テレビ、等のコンテンツをモバイルデバイスに配信するために用いられている。しかしながら、ブロードキャストネットワークは、長距離の用途のために本来的に用いられ、それによりコンテンツを受信するためのチャネル切り換え時間及び全体的なエネルギー消費量を増大させる。ピアツーピアネットワークは、短距離の用途のために本来的に用いられる。
【０００９】
ブロードキャストネットワーク及びピアツーピアネットワークの両方を採用するハイブリッドネットワークにおいて協調ＭＩＭＯを実装する無線通信ネットワークの動作に関連する改良されたシステム及び方法によって利益を実現することができる。
【図面の簡単な説明】
【００１０】
【図１】図１は、複数の無線デバイスを有する無線通信システムを示した図である。
【図２】図２は、ブロードキャストネットワークのブロック図を示す。
【図３】図３は、ピアツーピアネットワークのブロック図を示す。
【図４】図４は、モバイルデバイスによるピアツーピアネットワークへの登録のための方法を示したフロー図である。
【図４Ａ】図４Ａは、図４の方法に対応する手段プラス機能ブロックを示した図である。
【図５】図５は、協調ＭＩＭＯを用いるブロードキャストチャネルを受信するためにピアツーピアネットワークに登録するための方法を示したフロー図である。
【図５Ａ】図５Ａは、図５の方法に対応する手段プラス機能ブロックを示した図である。
【図６】図６は、本方法及び装置において用いるためのモバイルデバイスのコンポーネントの一部を示したブロック図である。
【図７】図７は、ハイブリッドピアツーピア及びブロードキャストＨＤＴＶネットワークのための方法を示したフロー図である。
【図７Ａ】図７Ａは、図７の方法に対応する手段プラス機能ブロックを示した図である。
【図８】図８は、ハイブリッドピアツーピア及びブロードキャストネットワークにおいてＨＤＴＶチャネルを受信及び表示するための方法を示したフロー図である。
【図８Ａ】図８Ａは、図８の方法に対応する手段プラス機能ブロックを示した図である。
【図９】図９は、同じデバイスにおいてブロードキャストネットワーク及びピアツーピアネットワークの両方をサポートするモバイルデバイスのアーキテクチャを示したブロック図である。
【図１０】図１０は、モバイルデバイスにおけるルックアップテーブルの機能を示したブロック図である。
【図１１】図１１は、空間多重化ＭＩＭＯを示したブロック図である。
【図１２】図１２は、ダイバーシティマッピングＭＩＭＯを示したブロック図である。
【図１３】図１３は、本開示により構成される無線デバイス内に含めることができる一定のコンポーネントを示した図である。
【詳細な説明】
【００１１】
所望のブロードキャストチャネルを得るための方法が説明される。ブロードキャストチャネルがブロードキャストネットワークから受信される。受信されたブロードキャストチャネルは、ピアツーピアネットワークを通じて少なくとも１つのピアツーピアネットワークピアに送信される。所望のブロードキャストチャネルは、ピアツーピアネットワークを通じて少なくとも１つのピアツーピアネットワークピアから受信される。所望のブロードキャストチャネルが再生（ｐｌａｙ）される。
【００１２】
ブロードキャストチャネルを受信することは、ブロードキャストネットワークから複数のブロードキャストチャネルを受信することをさらに含むことができる。受信されたブロードキャストチャネルは、ルックアップテーブルを用いて復号することができる。ブロードキャストネットワークからの受信されたブロードキャストチャネルは、協調多入力多出力（ＭＩＭＯ）を用いて変調することができる。チャネルアドレスは、受信されたブロードキャストチャネルのためにルックアップテーブルを用いてピアツーピアネットワークチャネルに変換することができる。
【００１３】
ブロードキャストネットワークからブロードキャスト送信の一部のみを受信するために受信符号を用いることができる。ブロードキャスト送信は、１つ又は複数のブロードキャストチャネルを含むことができる。ブロードキャストチャネルは、高精細度テレビ（ＨＤＴＶ）チャネルであることができる。
【００１４】
方法は、ブロードキャストチャネルを受信するためにピアツーピアネットワークに登録することも含むことができる。方法は、モバイルデバイスによって実行することができる。登録することは、幾つかの動作を含むことができる。モバイルデバイスから届く範囲内の１つ又は複数のピアツーピアネットワークを検出することができる。モバイルデバイスは、モバイルデバイスから届く範囲内のピアツーピアネットワークに登録することができる。モバイルデバイスが登録されているピアツーピアネットワークのために入手可能なチャネル情報を要求することができる。モバイルデバイスが登録されているピアツーピアネットワークのための入手可能なチャネル情報を受信することができる。モバイルデバイスは、ブロードキャストネットワークから受信するブロードキャストチャネルを決定することができる。
【００１５】
ルックアップテーブルは、ピアツーピアネットワークに新しいピアが加えられたときに更新することができる。さらに、ルックアップテーブルは、ピアツーピアネットワークからピアが外されたときに更新することができる。
【００１６】
受信されたブロードキャストチャネルを送信することは、ピアツーピアネットワークを通じて複数のピアツーピアネットワークピアに受信されたブロードキャストチャネルを送信することをさらに含むことができる。所望のブロードキャストチャネルを受信することは、複数のピアツーピアネットワークピアから所望のブロードキャストチャネルを受信することをさらに含むことができる。所望のブロードキャストチャネルを再生することは、高精細度テレビ（ＨＤＴＶ）ビデオディスプレイ上に所望のブロードキャストチャネルを表示することを含むことができる。ピアツーピアネットワークのピアは、受信されたブロードキャストチャネルの信号品質を向上させるために協調することができる。
【００１７】
ハイブリッドブロードキャスト及びピアツーピアネットワークにおける動作のために構成された無線デバイスが開示される。無線デバイスは、プロセッサと、プロセッサと電子的に通信するメモリと、を含む。メモリには実行可能な命令が格納される。ブロードキャストチャネルがブロードキャストネットワークから受信される。受信されたブロードキャストチャネルは、ピアツーピアネットワークを通じて少なくとも１つのピアツーピアネットワークピアに送信される。所望のブロードキャストチャネルがピアツーピアネットワークを通じて少なくとも１つのピアツーピアネットワークピアから受信される。所望のブロードキャストチャネルが再生される。
【００１８】
無線デバイスは、モデムであることができる。さらに、無線デバイスは、ブロードキャストネットワーク及びピアツーピアネットワークと同時並行して通信することが可能なモデムであることができる。
【００１９】
ハイブリッドブロードキャスト及びピアツーピアネットワークにおける動作のために構成された無線デバイスが開示される。無線デバイスは、ブロードキャストネットワークからブロードキャストチャネルを受信するための手段を含むことができる。無線デバイスは、ピアツーピアネットワークを通じて少なくとも１つのピアツーピアネットワークピアに受信されたブロードキャストチャネルを送信するための手段を含むこともできる。無線デバイスは、ピアツーピアネットワークを通じて少なくとも１つのピアツーピアネットワークから所望のブロードキャストチャネルを受信するための手段を含むこともできる。無線デバイスは、所望のブロードキャストチャネルを再生するための手段を含むこともできる。
【００２０】
ハイブリッドブロードキャスト及びピアツーピアネットワークにおける動作のために構成された無線デバイスのためのコンピュータプログラムプロダクトが開示される。コンピュータプログラムプロダクトは、命令が格納されているコンピュータによって読み取り可能な媒体を備えることができる。命令は、ブロードキャストネットワークからブロードキャストチャネルを受信するための符号を含むことができる。命令は、ピアツーピアネットワークを通じて少なくとも１つのピアツーピアネットワークピアに受信されたブロードキャストチャネルを送信するための符号を含むこともできる。命令は、ピアツーピアネットワークを通じて少なくとも１つのピアツーピアネットワークピアから所望のブロードキャストチャネルを受信するための符号を含むこともできる。命令は、所望のブロードキャストチャネルを再生するための符号を含むこともできる。
【００２１】
無線通信システムも開示される。無線通信システムは、ブロードキャストネットワークを含むことができる。ブロードキャストネットワークは、少なくとも１つのブロードキャスト送信機と、少なくとも２つの受信モバイルデバイスと、を含むことができる。ブロードキャスト送信機は、受信モバイルデバイスのうちの少なくとも１つにブロードキャスト送信を送信することができる。無線通信システムは、ピアツーピアネットワークを含むこともできる。ピアツーピアネットワークは、少なくとも２つの受信モバイルデバイスを含むことができる。受信モバイルデバイスのうちの少なくとも１つは、ブロードキャスト送信機からブロードキャスト送信を受信することができる。ブロードキャスト送信を受信する受信モバイルデバイスは、ピアツーピアネットワーク内のその他のモバイルデバイスとブロードキャスト送信を共有することができる。
【００２２】
ピアツーピアネットワーク内の各モバイルデバイスは、仮想多入力多出力（ＭＩＭＯ）受信機における受信アンテナとして働くことができる。ピアツーピアネットワーク内の各モバイルデバイスは、ブロードキャスト送信を復号するために協調することができる。ブロードキャスト送信は、高精細度テレビ（ＨＤＴＶ）チャネルであることができる。
【００２３】
少なくとも２つの受信モバイルデバイスは、ルックアップテーブルを用いて受信されたブロードキャスト送信を復号することができる。ルックアップテーブルは、追加のモバイルデバイスがピアツーピアネットワークに加えられたときに更新することができる。
【００２４】
図１は、複数の無線デバイスを有する無線通信システム１００を示す。無線デバイスは、基地局、モバイルデバイス、中継ノード、等であることができる。一構成においては、無線デバイスは、モデムであることができる。基地局は、１つ又は複数のモバイルデバイス１０２と通信する局である。基地局は、アクセスポイント、ブロードキャスト送信機、ノードＢ、エボルブド（ｅｖｏｌｖｅｄ）ノードＢ、等と呼ぶこともでき、及び、アクセスポイント、ブロードキャスト送信機、ノードＢ、エボルブド（ｅｖｏｌｖｅｄ）ノードＢ、等の機能の一部又は全部を含むことができる。ブロードキャストネットワーク内では、基地局は、ブロードキャスト送信機１０４と呼ぶことができる。各基地局は、特定の地理上のエリアのための通信カバレッジを提供する。用語“セル”は、その用語が用いられる状況に依存して基地局及び／又はそのカバレッジエリアを意味することができる。
【００２５】
モバイルデバイス１０２は、端末、アクセス端末、ユーザ装置、加入者ユニット、局、等と呼ぶこともでき、そして、端末、アクセス端末、ユーザ装置、加入者ユニット、局、等の機能の一部又は全部を含むことができる。モバイルデバイス１０２は、携帯電話、パーソナルデジタルアシスタント（ＰＤＡ）、無線デバイス、無線モデム、ハンドヘルドデバイス、ラップトップコンピュータ、等であることができる。モバイルデバイス１０２は、あらゆる所定の時点においてダウンリンク（ＤＬ）及び／又はアップリンク（ＵＬ）でゼロの、１つの、又は複数の基地局と通信することができる。ダウンリンク（又は順方向リンク）は、基地局からモバイルデバイスへの通信リンクを意味し、アップリンク（又は逆方向リンク）は、モバイルデバイス１０２から基地局への通信を意味する。
【００２６】
無線通信システム１００は、ブロードキャストネットワーク１０６を含むことができる。ブロードキャストネットワーク１０６は、１つ又は複数のブロードキャスト送信機１０４と、１つ又は複数のモバイルデバイス１０２と、を含むことができる。モバイルデバイス１０２は、ブロードキャストネットワーク１０６内のピアツーピアネットワーク１０８の一部であることができる。換言すると、モバイルデバイス１０２は、ブロードキャストネットワーク１０６及びピアツーピアネットワーク１０８の両方と同時並行して通信することが可能である。複数のネットワークと同時並行して通信することが可能なモバイルデバイス１０２は、ハイブリッドモバイルデバイス１０２と呼ぶことができる。例えば、モバイルデバイス１０２は、ブロードキャストネットワーク１０６及びピアツーピアネットワーク１０８の両方と同時並行して通信することが可能なハイブリッドモデムであることができる。１つ又は複数のブロードキャスト送信機１０４は、ブロードキャスト送信１１０を通じてモバイルデバイス１０２にデータをブロードキャストすることができる。例えば、１つ又は複数のブロードキャスト送信機１０４は、ＨＤＴＶ（高精細度テレビ）チャネルをモバイルデバイス１０２に配信することができる。１つ又は複数のブロードキャスト送信機１０４は、１つ又は複数のアクセス技術を用いるモバイルデバイス１０４にデータを配信することができる。例えば、ブロードキャスト送信機１０４は、ＭｅｄｉａＦＬＯ、デジタルビデオブロードキャスティング−ハンドヘルド（Ｄｉｇｉｔａｌ  Ｖｉｄｅｏ  Ｂｒｏａｄｃａｓｔｉｎｇ−Ｈａｎｄｈｅｌｄ）（ＤＶＢ−Ｈ）、デジタルマルチメディアブロードキャスティング（Ｄｉｇｉｔａｌ  Ｍｕｌｔｉｍｅｄｉａ  Ｂｒｏａｄｃａｓｔｉｎｇ）（ＤＭＢ）、等を用いるモバイルデバイスにデータを配信することができる。
【００２７】
ＭｅｄｉａＦＬＯは、複数のチャネルをサポートすることができ、ユーザは一度にそのうちの１つのチャネルを要求する。ＭｅｄｉａＦＬＯにおいて、タイムスライシングの原理を用いることができ及び個々のキャリアにチャネルを割り当てることができる。ＭＩＭＯは、ＤＶＢ−Ｈ及びＭｅｄｉａＦＬＯのために用いることができる。ＤＶＢ−Ｈ及びＭｅｄｉａＦＬＯは、毎秒約１０メガビット（Ｍｂｐｓ）のデータレートをサポートすることができる。ＨＤＴＶチャネル内での最良のピクチャのために要求されるデータレートは、２５乃至２７Ｍｂｐｓである。
【００２８】
ピアツーピアネットワーク１０８は、メッシュに基づくネットワークであることができる。例えば、ピアツーピアネットワーク１０８は、メッシュに基づくアクセス技術、例えば、ウルトラワイドバンド（ＵＷＢ）、クアルコムパーソナルエリアネットワーク低電力技術（Ｑｕａｌｃｏｍｍ  Ｐｅｒｓｏｎａｌ  Ａｒｅａ  Ｎｅｔｗｏｒｋ  Ｌｏｗ  ｐｏｗｅｒ  ｔｅｃｈｎｏｌｏｇｙ）（ＰＥＡＮＵＴ）、８０２．１１ｎ、等、を用いることができる。メッシュに基づくネットワークは、物理層のための直交周波数分割多重（ＯＦＤＭ）を用いることができる。ピアツーピアネットワーク１０８は、短距離、低電力の高帯域幅ネットワークであることができる。
【００２９】
無線通信システム１００は、協調ＭＩＭＯを利用することができる。用語“多入力多出力”（ＭＩＭＯ）は、通信性能を向上させるための送信機及び受信機の両方における複数のアンテナの使用を意味する。送信機においては、データストリームの各部分は、異なるアンテナから送信することができる。受信機においては、データストリームの異なる部分を異なるアンテナによって受信し及び結合することができる。用語“データストリーム”及び“層”は、ここにおいては互換可能な形で用いられる。協調ＭＩＭＯにおいては、無線ネットワークの性能は、ＭＩＭＯ技法をモバイルデバイス又は受信ノードクラスタのグループに適用することによって向上させることができる。例えば、協調ＭＩＭＯは、ブロードキャストネットワーク１０６の信号品質及びネットワーク容量を向上させ、それによりブロードキャストネットワーク１０６のための効率を向上させることができる。
【００３０】
協調ＭＩＭＯにおいて、受信ノードクラスタの各モバイルデバイス１０２は、ＭＩＭＯ変調された信号を受信することができる。従って、ピアツーピアネットワーク１０８は、全体で仮想ＭＩＭＯとして働くことができ、各モバイルデバイス１０２のための各ノードアンテナは、ＭＩＭＯ受信アンテナとして働く。ピアツーピアネットワーク１０８の各モバイルデバイス１０２は、受信ノードと呼ぶことができる。ブロードキャスト送信機１０４は、ソースと呼ぶこともできる。各ピアツーピアネットワーク１０８は、単一のソースによって又は複数のソースによってイネーブルにすることができる。複数のソースは、ピアツーピアネットワーク１０８が２つ以上のブロードキャスト送信機１０４からデータストリームを受信することを意味する。
【００３１】
各ブロードキャスト送信機１０４は、ピアツーピアネットワーク１０８の受信ノードに変調されたＭＩＭＯ信号を送信することができる。例えば、ブロードキャスト送信機１０４は、ブロードキャスト送信１１０を第１のモバイルデバイス１０２ａに送信することができる。第１のモバイルデバイス１０２ａに送信することができる。第１のモバイルデバイス１０２ａは、ピアツーピアネットワーク１０８内のモバイルデバイス１０２と受信されたブロードキャスト送信１１０を共有することができる。例えば、第１のモバイルデバイス１０２ａは、ＨＤ（高精細度）ビデオ受信機にＨＤＴＶチャネルを提供するために第２のモバイルデバイス１０２ｂ、第３のモバイルデバイス１２０ｃ、及び第４のモバイルデバイス１０２ｄと協調することができる。
【００３２】
協調ＭＩＭＯを用いてピアツーピアネットワーク１０８と連係するブロードキャストネットワーク１０６は、ブロードキャストネットワーク１０６の全体的な容量を増大させることができる。モバイルデバイス１０２のためのチャネル切り換え時間を有意に短縮することができる。さらに、ブロードキャストＨＤビデオを受信するためのエネルギー消費量を低減させることができる。協調ＭＩＭＯの使用は、ピア間で複数のブロードキャストを共有するためのプラットフォームとして働くこともできる。協調ＭＩＭＯを用いてピアツーピアネットワーク１０８と連係するブロードキャストネットワーク１０６は、ユーザの密度が高いエリア、例えば、ビジネス街、空港、市場、アパート、等、において特に有用であることができる。
【００３３】
図２は、ブロードキャストネットワーク１０６のブロック図を示す。ブロードキャストネットワーク１０６は、１つ又は複数のブロードキャスト送信機１０４を含むことができる。ブロードキャストネットワーク１０６は、１つ又は複数のモバイルデバイス１０２を含むこともできる。ブロードキャスト送信機１０４は、１つ又は複数のモバイルデバイス１０２にブロードキャスト送信１１０を送信することができる。例えば、ブロードキャスト送信機１０４は、１つ又は複数のモバイルデバイス１０２に高精細度ビデオブロードキャストを送信することができる。
【００３４】
ブロードキャスト送信機１０４は、複数の移動局１０２に複数のブロードキャスト送信１１０を送信することができる。例えば、第１のブロードキャスト送信機１０４ａは、第１のモバイルデバイス１０２ａ、第２のモバイルデバイス１０２ｂ、及び第３のモバイルデバイス１０２ｃにブロードキャスト送信１１０を送信することができる。各ブロードキャスト送信１１０は、１つ又は複数のブロードキャストチャネルを含むことができる。代替として、各ブロードキャスト送信機１０４は、１つ又は複数のモバイルデバイス１０２に各ブロードキャストチャネルの一部分を送信することができる。例えば、第１のブロードキャスト送信機１０４ａは、第１のモバイルデバイス１０２ａに第１のブロードキャストチャネルの一部分を及び第２のモバイルデバイス１０２ｂに第１のブロードキャストチャネルの一部分を送信することができる。
【００３５】
モバイルデバイス１０２は、複数のブロードキャスト送信機１０４から信号ストリームを受信することができる。例えば、第２のモバイルデバイス１０２ｂは、第１のブロードキャスト送信機１０４ａ、第２のブロードキャスト送信機１０４ｂ、及び第３のブロードキャスト送信機１０４ｃからブロードキャスト送信１１０を受信することができる。
【００３６】
ブロードキャストネットワーク１０６のみを用いて複数のモバイルデバイス１０２に多数のＨＤＴＶチャネルを配信することは困難な場合がある。ブロードキャストネットワーク１０６は、長距離にわたって動作することが意図されており、それは、ＨＤＴＶチャネルを復号するために非常に高いスペクトル効率、複素（ｃｏｍｐｌｅｘ）受信機、及びより多くの受信電力消費量を要求することがある。協調ＭＩＭＯを用いてピアツーピアネットワーク１０８とブロードキャストネットワーク１０６の使用を結合することによって利益を実現させることができる。協調ＭＩＭＯは、ピアツーピアネットワーク１０８内の各ノードのエネルギーを低減させることができる。モバイルデバイス１０２にとって利用可能なチャネルの数は、ピアツーピアネットワーク１０８内のノードの一部がモバイルデバイス１０２と異なるブロードキャストネットワーク１０６内に存在する場合に増加することができる。
【００３７】
図３は、ピアツーピアネットワーク１０８のブロック図を示す。ピアツーピアネットワーク１０８は、ブロードキャストネットワーク１０６よりもはるかに短い距離を有することができる。従って、ピアツーピアネットワーク１０８は、信号ストリームの送信及び受信のためにより少ない電力を消費することができる。ピアツーピアネットワークの例は、ウルトラワイドバンド（ＵＷＢ）と、ＰＥＡＮＵＴと、８０２．１１ｎと、等を含む。短距離のピアツーピアネットワーク１０８、例えば、ＵＷＢ、のためのデータレートは、毎秒約５００メガビット（Ｍｂｐｓ）乃至毎秒１ギガビット（Ｇｂｐｓ）であることができる。
【００３８】
ピアツーピアネットワーク１０８は、２つ又はそれより多くのモバイルデバイス１０２を含むことができる。ピアツーピアネットワーク１０８内のモバイルデバイス１０２は、ピア又はノードと呼ぶことができる。各モバイルデバイス１０２は、１つ又は複数のブロードキャスト送信機１０４から信号ストリームを受信していることができる。ピアツーピアネットワーク１０８のメンバーは、同じブロードキャストネットワーク１０６に加入することができる。その結果、幾つかの構成においては、ピアツーピアネットワーク１０８内へのモバイルデバイス１０２の登録プロセスは、ブロードキャストネットワークオペレータからのアクセス権に依存することができる。
【００３９】
ピアツーピアネットワーク１０８内の各モバイルデバイス１０２は、１つ又は複数のブロードキャスト送信機１０４から異なるブロードキャストチャネルを受信することができる。例えば、第１のモバイルデバイス１０２ａは、第１のブロードキャストチャネルを受信することができ、他方、第２のモバイルデバイス１０２ｂは、第２のブロードキャストチャネルを同時並行して受信する。代替として、各モバイルデバイス１０２は、各ブロードキャストチャネルの異なる部分を同時並行して受信することができる。例えば、第１のモバイルデバイス１０２ａは、第１のブロードキャストチャネルの一部分及び第２のブロードキャストチャネルの一部分を受信し、同時並行して、第２のモバイルデバイス１０２ｂは、第１のブロードキャストチャネルの異なる部分及び第２のブロードキャストチャネルの異なる部分を受信する。従って、モバイルデバイス１０２は、各ブロードキャストチャネルの受信された部分を共有し、それにより原ブロードキャストチャネルを再生することができる。
【００４０】
ピアツーピアネットワーク１０８は、ユーザがモバイルデバイス１０２のスイッチを入れた時点で形成することができる。一構成においては、ピアツーピアネットワーク１０８は、高精細度テレビ（ＨＤＴＶ）共有専用に形成することができる。アービトレーション（ａｒｂｉｔｒａｔｉｏｎ）（仲裁）アルゴリズムは、いずれのモバイルデバイス１０２がいずれのブロードキャストチャネルにアクセスするかを決定することができる。アービトレーションアルゴリズムは、モバイルデバイス１０２がピアツーピアネットワーク１０８から外れたとき又は新しいモバイルデバイス１０２がピアツーピアネットワーク１０８に加わったときに用いることができる。アービトレーションアルゴリズムが使用又は実行される場合は、新しいピアツーピアネットワーク１０８を形成することができる。
【００４１】
ピアツーピアネットワーク１０８内の各モバイルデバイス１０２は、ピアツーピアネットワーク１０８内のすべてのその他のモバイルデバイス１０２に対してブロードキャストチャネルを中継することができる。例えば、第１のモバイルデバイス１０２ａがブロードキャストネットワーク１０６から第１のブロードキャストチャネルを受信中である場合は、第１のモバイルデバイス１０２ａは、ピアツーピアネットワーク１０８内のその他のモバイルデバイス１０２の各々に第１のブロードキャストチャネルを中継することができる。他の例として、第１のモバイルデバイス１０２ａ及び第２のモバイルデバイス１０２ｂが第１のブロードキャストチャネルを各々受信する場合は、第１のモバイルデバイス１０２ａ及び第２のモバイルデバイス１０２ｂは、第１のブロードキャストチャネルの信号品質を向上させるために協調することができる。第１のモバイルデバイス１０２ａ及び第２のモバイルデバイス１０２ｂは、ピアツーピアネットワーク１０８内のその他のモバイルデバイス１０２に第１のブロードキャストチャネルの向上された信号品質バージョンを各々送信することができる。
【００４２】
ブロードキャスト送信１１０は、受信デバイス（例えば、チャネルを受信するモバイルデバイス１０２）において各チャネルに符号が割り当てられ、それによりピアツーピアネットワーク１０８内のモバイルデバイス１０２又はピアが協調すること及びチャネルの信号品質を向上させることを可能にするようにＭＩＭＯを用いて符号化することができる。ピアは、モバイルデバイス１０２上のＨＤビデオ受信機に所望のチャネルを提供するために協調することができる。換言すると、ピアは、仮想ＭＩＭＯ受信機として働くことができ、各モバイルデバイス１０２の各受信機は、ブロードキャスト全体に直接アクセスする代わりにブロードキャストの一部のみを受信する。ピアツーピアネットワーク１０８内の各ノードは、ブロードキャストネットワーク１０６から同時にブロードキャストチャネルを受信することができる。ピアツーピアネットワーク１０８内の各ノードは、受信されたブロードキャストチャネルをピアツーピアネットワーク１０８内のその他のピアに転送することができる。
【００４３】
図４は、モバイルデバイス１０２をピアツーピアネットワーク１０８に登録するための方法４００を示すフロー図である。モバイルデバイス１０２は、スイッチを入れることができる４０２。例えば、モバイルデバイス１０２は、パワーアップすることができ及び／又はモバイルデバイス１０２の無線能力のスイッチを入れるか又はイネーブルにすることができる。これで、モバイルデバイス１０２は、モバイルデバイス１０２から届く範囲内のピアツーピアネットワーク１０８の有無を確認するか又は検出することができる。次に、モバイルデバイスは、利用可能な限度まで、ピアツーピアネットワーク１０８に登録又は加入することができる。利用可能な限度は、モバイルデバイス１０２が加入することができるピアツーピアネットワーク１０８の数に対する予め設定された限度であることができる。
【００４４】
モバイルデバイス１０２は、モバイルデバイス１０２のための所望のチャネルが加入されたピアツーピアネットワーク１０８において入手可能であるかどうかを決定することができる４０８。例えば、モバイルデバイス１０２は、ピアツーピアネットワーク１０８内の１つ又は複数のその他のモバイルデバイス１０２によって特定のブロードキャストチャネル（所望のチャネル）を現在受信中であるかどうかを決定することができる。ピアツーピアネットワーク１０８において所望のチャネルが入手可能である場合は、モバイルデバイス１０２は、チャネルサービスを得るためにピアツーピアネットワーク１０８を用いることができる４１０。ピアツーピアネットワーク１０８において所望のチャネルが入手可能でない場合は、モバイルデバイス１０２は、所望のブロードキャストチャネルのためのチャネルサービスを受けるためにブロードキャストネットワーク１０６を用いることができる４１２。これで、モバイルデバイス１０２は、チャネルを要求しているピアツーピアネットワーク１０８内のその他のピアにチャネルサービスを中継することができる４１４。
【００４５】
上述された図４の方法４００は、図４Ａに示される手段プラス機能（ｍｅａｎｓ−ｐｌｕｓ−ｆｕｎｃｔｉｏｎ）ブロック４００Ａに対応する様々なハードウェア及び／又はソフトウェアコンポーネント及び／又はモジュールによって実行することができる。換言すると、図４に示されるブロック４０２乃至４１４は、図４Ａに示される手段プラス機能ブロック４０２Ａ乃至４１４Ａに対応する。
【００４６】
図５は、協調ＭＩＭＯを用いるブロードキャストチャネルを受信するためにピアツーピアネットワーク１０８に登録するための方法５００を示すフロー図である。モバイルデバイス１０２は、スイッチを入れる（例えば、パワーアップする及び／又は無線能力のスイッチを入れるか又はイネーブルにする）ことができる５０２。これで、モバイルデバイス１０２は、モバイルデバイス１０２から届く範囲内のピアツーピアネットワーク１０８の有無を確認する５０４又は検出することができる。モバイルデバイス１０２は、ピアツーピアネットワーク１０８に登録する５０６又は加入することができる。モバイルデバイス１０２は、ピアツーピアネットワーク１０８のための入手可能なチャネル情報を要求することができる５０８。例えば、モバイルデバイス１０２は、いずれのチャネルがピアツーピアネットワーク１０８によって現在受信中であるかの情報を要求することができる。モバイルデバイス１０２は、ピアツーピアネットワーク１０８のための入手可能なチャネル情報を受信することができる５１０。
【００４７】
ピアツーピアネットワーク１０８のための受信された入手可能なチャネル情報に基づき、モバイルデバイス１０２は、ブロードキャストネットワーク１０６から受信する１つ又は複数のチャネルを決定することができる５１２。例えば、モバイルデバイス１０２は、いずれのブロードキャストチャネルがピアツーピアネットワーク１０８のために入手可能でないかを決定することができる。他の例として、モバイルデバイス１０２は、ピアツーピアネットワーク１０８内のその他のモバイルデバイス１０２に対する負担を軽減するために及び／又はピアツーピアネットワーク１０８によって受信されたブロードキャストチャネルの信号品質を向上させるためにいずれのブロードキャストチャネルをブロードキャストネットワーク１０６からモバイルデバイス１０２によって受信することができるかを決定することができる。これで、モバイルデバイス１０２は、決定されたチャネルをブロードキャストネットワーク１０６から受信することができる５１４。
【００４８】
上述された図５の方法５００は、図５Ａに示される手段プラス機能ブロック５００Ａに対応する様々なハードウェア及び／又はソフトウェアコンポーネント及び／又はモジュールによって実行することができる。換言すると、図５に示されるブロック５０２乃至５１４は、図５Ａに示される手段プラス機能ブロック５０２Ａ乃至５１４Ａに対応する。
【００４９】
図６は、本方法及び装置における使用のためのモバイルデバイス６０２の一構成のコンポーネントの一部を示したブロック図である。図６のモバイルデバイス６０２は、図１に示されたモバイルデバイス１０２の１つの可能な構成である。モバイルデバイス６０２は、ブロードキャストネットワーク１０６から１つ又は複数のチャネル６１２を受信することができる。ブロードキャストネットワーク１０６から受信されたチャネル６１２は、ＨＤＴＶチャネルであることができる。モバイルデバイス６０２は、ピアツーピアネットワーク１０８から１つ又は複数のチャネル６１４を受信することもできる。ピアツーピアネットワーク１０８から受信されたチャネル６１４は、向上された信号品質を有することができる。モバイルデバイス６０２は、ピアツーピアネットワーク１０８によって現在受信されている全チャネル６１４をピアツーピアネットワーク１０８から受信することができる。例えば、モバイルデバイス６０２は、ピアツーピアネットワーク１０８内のいずれかのノードによって受信中の全チャネル６１４を受信することができる。代替として、モバイルデバイス６０２は、ピアツーピアネットワーク１０８から所望のブロードキャストチャネル６１３のみを受信することができる。
【００５０】
モバイルデバイス６０２は、受信符号６２６を含むことができる。受信符号６２６は、ブロードキャストネットワーク１０６を通じて送信されたすべてのチャネルを受信するのとは対照的に、所望のチャネル６１２又はチャネルの一部分をブロードキャストネットワーク１０６から受信するためにモバイルデバイス６０２によって用いることができる。
【００５１】
モバイルデバイス６０２は、ルックアップテーブル６１６を含むことができる。ルックアップテーブル６１６は、ブロードキャストネットワーク１０６からの受信されたチャネル６１２をピアツーピアチャネル６１４にマッピングすることができる。例えば、ルックアップテーブル６１６は、ブロードキャストネットワークのマッピングされたチャネル６１８、対応するピアツーピアネットワークのマッピングされたチャネル６２２、及びブロードキャストネットワークのマッピングされたチャネル６１８を受信するモバイルデバイスＩＤ６２０を有するテーブルであることができる。モバイルデバイス６０２は、いずれのピアツーピアチャネル６１４が所望のブロードキャストチャネル６１３に対応するかを決定するためにルックアップテーブル６１６を用いることができる。ルックアップテーブル６１６は、ブロードキャストネットワークのマッピングされたチャネル６１８番号を対応するピアツーピアネットワークのマッピングされたチャネル６２２番号に変換することができる。ルックアップテーブル６１６は、ピアツーピアネットワークのマッピングされたチャネル６２２番号を対応するブロードキャストネットワークのマッピングされたチャネル６１８番号に変換することもできる。モバイルデバイス６０２は、受信されたチャネルのための信号品質を向上させるためにルックアップテーブル６１６を用いることもできる。例えば、モバイルデバイス６０２は、いずれのピアツーピアネットワークのマッピングされたチャネル６２２がブロードキャストネットワーク１０６からの１つ又は複数の受信されたチャネル６１２に対応するかを決定するためにルックアップテーブル６１６を用いることができる。次に、モバイルデバイス６０２は、受信されたブロードキャストチャネル６１２の信号品質を向上させるために協調ＭＩＭＯを用いることができる。
【００５２】
ピアツーピアネットワーク１０８から受信された所望のブロードキャストチャネル６１３が復号された時点で、所望のブロードキャストチャネル６１３は、ディスプレイ６２８を用いるモバイルデバイス６０２ユーザに表示することができる。所望のブロードキャストチャネル６１３は、ブロードキャストチャネルとして表示することができる。一構成においては、ディスプレイ６２８は、ＨＤＴＶビデオディスプレイであることができる。
【００５３】
モバイルデバイス６０２は、ルックアップテーブル更新モジュール６２４を含むことができる。ルックアップテーブル更新モジュール６２４は、ルックアップテーブル６１６を更新することができる。例えば、ルックアップテーブル更新モジュール６２４は、ノードがピアツーピアネットワーク１０８に加えられるか又はピアツーピアネットワーク１０８から外されるごとにルックアップテーブル６１６を更新することができる。
【００５４】
図７は、ハイブリッドピアツーピア及びブロードキャストＨＤＴＶネットワークのための方法７００を示したフロー図である。モバイルデバイス１０２は、ブロードキャストネットワーク１０６及びピアツーピアネットワーク１０８の両方の一部であることができる。モバイルデバイス１０２は、ブロードキャストネットワーク１０６から１つ又は複数のブロードキャストチャネル６１２を受信することができる７０２。これで、モバイルデバイス１０２は、ピアツーピアネットワーク１０８を通じて１つ又は複数のピアツーピアネットワーク１０８ピアに受信されたブロードキャストチャネル６１２のうちの１つ以上を送信することができる７０４。モバイルデバイス１０２が１つ又は複数のピアツーピアネットワーク１０８に登録されている場合は、モバイルデバイス１０２は、１つ又は複数の受信されたブロードキャストチャネル６１２を複数のピアツーピアネットワーク１０８に送信することができる７０４。
【００５５】
モバイルデバイス１０２は、ピアツーピアネットワーク１０８を通じて１つ又は複数のピアツーピアネットワーク１０８ピアから１つ又は複数のブロードキャストチャネルを受信することができる７０６。例えば、モバイルデバイスは、１つ又は複数のピアツーピアネットワーク１０８ピアから所望のブロードキャストチャネル６１３を受信することができる７０６。次に、モバイルデバイス１０２は、所望のブロードキャストチャネル６１３を再生することができる７０８。例えば、モバイルデバイス１０２は、ディスプレイ６２８上において所望のブロードキャストチャネル６１３を再生することができる７０８。
【００５６】
上述された図７の方法７００は、図７Ａに示される手段プラス機能ブロック７００Ａに対応する様々なハードウェア及び／又はソフトウェアコンポーネント及び／又はモジュールによって実行することができる。換言すると、図７に示されるブロック７０２乃至７０８は、図７Ａに示される手段プラス機能ブロック７０２Ａ乃至７０８Ａに対応する。
【００５７】
図８は、ハイブリッドピアツーピア及びブロードキャストネットワークにおいてＨＤＴＶチャネルを受信及び表示するための他の方法８００を示したフロー図である。モバイルデバイス１０２は、ブロードキャストネットワーク１０６からブロードキャストチャネル６１２を受信することができる８０２。モバイルデバイス１０２は、ルックアップテーブル６２４を用いて受信されたブロードキャストチャネル６１２のためのチャネルアドレスをピアツーピアネットワークチャネル６２２に変換することができる８０４。次に、モバイルデバイス１０２は、ピアツーピアネットワーク１０８のために受信されたブロードキャストチャネル６１２を変調することができる８０６。モバイルデバイス１０２は、変調された受信されたブロードキャストチャネル６１２をピアツーピアネットワーク１０８に送信することができる８０８。
【００５８】
モバイルデバイス１０２は、ピアツーピアネットワーク１０８から１つ又は複数のブロードキャストチャネル６１４を受信することができる８１０。例えば、モバイルデバイス１０２は、モバイルデバイス１０２による表示のために所望のブロードキャストチャネル６１３を受信することができる８１０。モバイルデバイス１０２は、所望のブロードキャストチャネル６１３を復号することができる８１２。モバイルデバイス１０２が所望のブロードキャストチャネル６１３を復号した時点で、モバイルデバイス１０２は、所望のブロードキャストチャネル６１３を再生することができる８１４。例えば、モバイルデバイス１０２は、所望のブロードキャストチャネル６１３をディスプレイ６２８上に表示することによって所望のブロードキャストチャネル６１３を再生することができる８１４。
【００５９】
上述された図８の方法８００は、図８Ａに示される手段プラス機能ブロック８００Ａに対応する様々なハードウェア及び／又はソフトウェアコンポーネント及び／又はモジュールによって実行することができる。換言すると、図８に示されるブロック８０２乃至８１４は、図８Ａに示される手段プラス機能ブロック８０２Ａ乃至８１４Ａに対応する。
【００６０】
図９は、同じデバイスにおいてブロードキャストネットワーク１０６及びピアツーピアネットワーク１０８の両方をサポートするモバイルデバイス９０２の一構成のアーキテクチャを示したブロック図である。モバイルデバイス９０２は、ブロードキャスト受信機９４０を含むことができる。ブロードキャスト受信機９４０は、ブロードキャストネットワーク１０６から１つ又は複数のブロードキャストチャネル６１２を受信することができる。ブロードキャストチャネル６１２は、受信されたブロードキャストチャネル６１２の該当部分を復号するために受信符号６２６が必要であるようにＭＩＭＯ変調することができる。ブロードキャスト受信機９４０は、ソース復号器９６４からチャネル復号コマンド９６２を受信することができる。チャネル復号コマンド９６２は、ブロードキャスト受信機９４０が１つ又は複数のブロードキャストチャネル６１２を復号するのを可能にすることができる。復号された受信されたブロードキャストチャネル９４３は、ルックアップテーブル９４２によってピアツーピアネットワーク１０８チャネルに変換することができる。ルックアップテーブル９４２は、変換されたブロードキャストチャネル６１２をピアツーピア変調器９４６に送信することができる９４４。
【００６１】
変換されたブロードキャストチャネル６１２がピアツーピアネットワーク１０８のために変調された時点で、変換されたブロードキャストチャネル６１２は、ピアツーピアネットワーク１０８内のその他のモバイルデバイス１０２に送信することができる９４８。例えば、変換されたブロードキャストチャネル６１２は、ピアツーピアネットワーク１０８内のその他のモバイルデバイス１０２に直接送信することができる９４８。代替として、変換されたブロードキャストチャネル６１２は、ピアツーピアネットワーク１０８内のその他のモバイルデバイス１０２にピアツーピアネットワーク１０８内のアクセスポイントを通じて送信することができる９４８。
【００６２】
モバイルデバイス９０２は、ピアツーピアネットワーク１０８から１つ又は複数のピアツーピアチャネル６１４を受信することができる９５０。例えば、モバイルデバイス９０２は、ピアツーピアネットワーク１０８内の１つ又は複数のピアから直接１つ又は複数のピアツーピアチャネル６１４を受信することができる９５０。代替として、モバイルデバイス９０２は、ピアツーピアネットワーク１０８内のアクセスポイントを通じて間接的にピアツーピアネットワーク１０８内の１つ又は複数のピアから１つ又は複数のピアツーピアチャネル６１４を受信することができる９５０。図６に関連して上述されたように、ピアツーピアチャネル６１４は、ブロードキャストチャネル６１２であり、ブロードキャストチャネル６１２のためのチャネルアドレスがピアツーピアネットワーク１０８のために変換されている。
【００６３】
ピアツーピアネットワーク１０８から受信された１つ又は複数のピアツーピアチャネル６１４は、ピアツーピア復調器９５２によって復調することができる。チャネル情報は、ルックアップテーブル９４２に送信することができる９５４。例えば、ピアツーピアチャネル番号をルックアップテーブル９４２に送信することができる９５４。これで、ルックアップテーブル９４２を用いて１つ又は複数のピアツーピアチャネル６１４のためのチャネルアドレスを変換してブロードキャストチャネル６１４のためのチャネルアドレスに戻すことができる。変換チャネル復号コマンドをルックアップテーブル９４２によってピアツーピア復調器９５２に送信することができる９５６。
【００６４】
ルックアップテーブル９４２は、ソース復号器９６４にブロードキャストチャネル番号を送信することができる９５８。ピアツーピア復調器９５２は、ソース復号器９６４に物理チャネルを送信することができる９６６。物理チャネルは、逆高速フーリエ変換（ＩＦＦＴ）、デインターリービング、及び誤り訂正を用いてチャネル検出、復調後にソース復号器９６４に送信することができる。ソース復号器９６４は、ユーザインタフェース、例えば、ＭｅｄｉａＦＬＯユーザインタフェース、における電子番組ガイド（ＥＰＧ）動作からチャネル番号を生成することができる。ＥＰＧ動作の例は、ＴＶチャネルを選択することと、モバイルＴＶのスイッチを入れるためにそのＴＶチャネルを変更すること、とを含み、ただしそれらに限定されない。ソース復号器９６４は、復号のための追加制御を有するチャネル復号コマンド及び復号されるチャネル番号をルックアップテーブルに送信することができる。追加制御は、コマンドとして送信される１ビットパルスであることができる“復号コマンド”であることができる。
【００６５】
図１０は、モバイルデバイス１０２上のルックアップテーブル１０４２の一構成の機能を示したブロック図である。ルックアップテーブル１０４２は、ブロードキャストネットワーク１０６から１つ又は複数のブロードキャストチャネル１０７６を受信することができる。ルックアップテーブル１０４２は、受信された１つ又は複数のブロードキャストチャネル１０７６をピアツーピア１０７２に変換することができる。換言すると、ルックアップテーブル１０４２は、ブロードキャストチャネル１０７６をピアツーピアチャネル１０７２にマッピングすることができる。ピアツーピアチャネル１０７２は、ピアツーピアネットワーク１０８内のその他のピアに送信することができる。
【００６６】
ルックアップテーブル１０４２は、ピアツーピアネットワーク１０８から１つ又は複数のピアツーピアチャネル１０７０を受信することができる。ルックアップテーブル１０４２は、ピアツーピアチャネル１０７０を変換してブロードキャストチャネル１０７６に戻すことができる。これで、所望のブロードキャストチャネル６１３をモバイルデバイス１０２上のディスプレイ６２８に出力することができる。
【００６７】
図１１は、空間多重化ＭＩＭＯ構成１１００を示すブロック図である。１つ又は複数の論理ビデオストリーム又はチャネル１１７７を、ＯＦＤＭ変調器１１７９の使用を通じてＯＦＤＭの異なる周波数において各々符号化することができる。これで、論理ビデオチャネルは、ＭＩＭＯ処理１１８１を通じて異なるアンテナに各々マッピングすることができる。各アンテナ１１７８ａ乃至１１７８ｄは、マッピングされた論理ビデオストリームをブロードキャストすることができる。ＭｅｄｉａＦＬＯ及びＤＶＢＨの両方が、ＭＩＭＯを空間多重化のために用いることができる。空間多重化の使用は、マッピングされるチャネルの数を増加させることができる。空間多重化は、単一周波数ネットワーク（ＳＦＮ）及び多周波数ネットワーク（ＭＦＮ）の両方と機能することができる。ＳＦＮにおいては、幾つかの送信機が同じ周波数チャネルを用いて同じ信号を同時に送信することができる。対照的に、ＭＦＮ内では、論理ビデオストリームを送信するために複数の無線周波数を用いることができる。
【００６８】
図１２は、ダイバーシティマッピングＭＩＭＯ構成１２００を示すブロック図である。１つ又は複数の論理ビデオストリーム１２７７を、ＯＦＤＭ変調器１２７９によってＯＦＤＭの異なる周波数において各々符号化することができる。これで、各論理ビデオチャネルは、ＭＩＭＯ処理１２８１を通じて各アンテナにマッピングすることができる。各論理ビデオチャネルの一部分は、インターリーバにおいてダイバーシティを追加するためにＭＩＭＯ処理１２８１を通じて各アンテナにマッピングすることができる。代替として、特定のグループのチャネルを各アンテナに固定し、それによって空間ダイバーシティを提供することができる。各アンテナ１２８０ａ乃至１２８０ｄは、各論理ビデオストリームのマッピングされた部分をブロードキャストすることができる。ＭｅｄｉａＦＬＯ及びＤＶＢＨの両方が、アンテナへのビデオチャネルのダイバーシティマッピングのためにＭＩＭＯを用いることができる。ビデオチャネルのダイバーシティマッピングは、ビデオ送信の信頼性を向上させることができる。ダイバーシティマッピングは、ＭＦＮと適合可能である。ダイバーシティマッピングＭＩＭＯは、全送信機が同じＭＩＭＯ方式を使用し及び同期状態にある場合にＳＦＮとともに用いることもできる。異なるソースから同じタイプのチャネルを送信するために同じ搬送波を用いることができるため、周波数ダイバーシティは、ＭＩＭＯ等の空間ダイバーシティ技法から独立している。
【００６９】
図１１及び１２は、ビデオストリームをＭＩＭＯにマッピングする例である。代替として、ビデオストリームは、Ｄｉａｇｏｎａｌ−Ｂｅｌｌ  Ｌａｂ’ｓＬａｙｅｒｅｄ  Ｓｐａｃｅ−Ｔｉｍｅ（Ｄ−ＢＬＡＳＴ）（対角−Ｂｅｌｌ  Ｌａｂ層化空間−時間）、Ｖｅｒｔｉｃａｌ−Ｂｅｌｌ  Ｌａｂ’ｓ  Ｌａｙｅｒｅｄ  Ｓｐａｃｅ−Ｔｉｍｅ（Ｖ−ＢＬＡＳＴ）（垂直−Ｂｅｌｌ  Ｌａｂ層化空間−時間）、ブロック対角化（ｂｌｏｃｋ  ｄｉａｇｏｎａｌｉｚａｔｉｏｎ）、等を用いてマッピングすることができる。
【００７０】
図１３は、無線デバイス１３０１内に含めることができる一定のコンポーネントを示す。無線デバイス１３０１は、モバイルデバイス１０２又は基地局であることができる。
【００７１】
無線デバイス１３０１は、プロセッサ１３０３を含むことができる。プロセッサ１３０３は、汎用の単チップ又は多チップマイクロプロセッサ（例えば、ＡＲＭ）、専用マイクロプロセッサ（例えば、デジタル信号プロセッサ（ＤＳＰ））、マイクロコントローラ、プログラマブルゲートアレイ、等であることができる。プロセッサ１３０３は、中央処理装置（ＣＰＵ）と呼ぶことができる。図１３の無線デバイス１３０１では単一のプロセッサ１３０３のみが示されているが、代替構成においては、プロセッサの組み合わせ（例えば、ＡＲＭとＤＳＰ）を用いることが可能である。
【００７２】
無線デバイス１３０１は、メモリ１３０５も含む。メモリ１３０５は、電子情報を格納することが可能なあらゆる電子コンポーネントであることができる。メモリ１３０５は、ランダムアクセスメモリ（ＲＡＭ）、読み取り専用メモリ（ＲＯＭ）、磁気ディスク記憶媒体、光学記憶媒体、ＲＡＭ内のフラッシュメモリデバイス、プロセッサとともに含められた搭載メモリ、ＥＰＲＯＭメモリ、ＥＥＰＲＯＭメモリ、レジスタ、等、として具現化することができ、それらの組み合わせを含む。
【００７３】
メモリ１３０５にはデータ１３０７及び命令１３０９を格納することができる。命令１３０９は、ここにおいて開示される方法を実装するためにプロセッサ１３０３によって実行可能であることができる。命令１３０９を実行することは、メモリ１３０５に格納されるデータ１３０７の使用を含むことができる。プロセッサ１３０３が命令１３０７を実行するときには、命令１３０７ａの様々な部分をプロセッサ１３０３にローディングすることができ、及び様々なデータ１３０９ａをプロセッサ１３０３にローディングすることができる。
【００７４】
無線デバイス１３０１は、無線デバイス１３０１への信号の送信及び無線デバイス１３０１からの信号の受信を可能にする送信機１３１１と受信機１３１３とを含むこともできる。送信機１３１１及び受信機１３１３は、総じてトランシーバ１３１５と呼ぶことができる。アンテナ１３１７は、トランシーバ１３１５に電気的に結合することができる。無線デバイス１３０１は、複数の送信機、複数の受信機、複数のトランシーバ及び／又は複数のアンテナを含むこともできる（示されていない）。
【００７５】
無線デバイス１３０１の様々なコンポーネントは、１つ又は複数のバスによってまとめて結合することができ、それらは、電力バスと、制御信号バスと、状態信号バスと、データバスと、等を含むことができる。明確化を目的として、図１３では様々なバスがバスシステム１３１９として示される。
【００７６】
ここにおいて説明される技法は、直交多重化方式に基づく通信システムを含む様々な通信システムのために用いることができる。該通信システムの例は、直交周波数分割多元接続（ＯＦＤＭＡ）システムと、単一搬送波周波数分割多元接続（ＳＣ−ＦＤＭＡ）システムと、等を含む。ＯＦＤＭＡシステムは、直交周波数分割多重（ＯＦＤＭ）を利用し、それは、全体的なシステム帯域幅を複数の直交副搬送波に分割する変調技法である。これらの副搬送波は、トーン、ビン、等と呼ぶこともできる。ＯＦＤＭを用いることで、各副搬送波は、データとともに独立して変調することができる。ＳＣ−ＦＤＭＡシステムは、システム帯域幅全体に分散される副搬送波で送信するためにインターリービングされたＦＤＭＡ（ＩＦＤＭＡ）を利用し、隣接する副搬送波のブロックにおいて送信するために局在化されたＦＤＭＡ（ＬＦＤＭＡ）を利用し、又は、隣接する副搬送波の複数のブロックにおいて送信するために拡張されたＦＤＭＡ（ＥＦＤＭＡ）を利用する。概して、変調シンボルは、ＯＦＤＭでは周波数領域において及びＳＣ−ＦＤＭＡでは時間領域において送信される。
【００７７】
用語“決定する”は、非常に様々な動作を包含し、従って、“決定する”は、計算することと、演算することと、処理することと、導出することと、調査することと、検索する（例えば、テーブル、データベース又は他のデータ構造において検索する）ことと、確認することと、等を含むことができる。さらに、“決定する”は、受信する（例えば、情報を受信する）ことと、アクセスする（例えば、メモリ内のデータにアクセスする）ことと、等を含むことができる。さらに、“決定する”は、解決することと、選抜することと、選択することと、確立することと、等を含むことができる。
【００７８】
句“に基づいて”は、その他の意味が明示されない限り、“のみに基づいて”は意味しない。換言すると、句“に基づいて”は、“のみに基づいて”及び“に少なくとも基づいて”の両方を表す。
【００７９】
用語“プロセッサ”は、汎用プロセッサ、中央処理装置（ＣＰＵ）、マイクロプロセッサ、デジタル信号プロセッサ（ＤＳＰ）、コントローラ、マイクロコントローラ、ステートマシン、等を包含すると広義で解釈されるべきである。幾つかの状況下においては、“プロセッサ”は、特定用途向け集積回路（ＡＳＩＣ）、プログラマブル論理デバイス（ＰＬＤ）、フィールドプログラマブルゲートアレイ（ＦＰＧＡ）、等を意味することができる。用語“プロセッサ” は、処理デバイスの組合せ、例えば、ＤＳＰと、１つのマイクロプロセッサとの組合せ、複数のマイクロプロセッサとの組合せ、ＤＳＰコアと関連する１つ又は複数のマイクロプロセッサとの組合せ、又はその他のあらゆる該構成、を意味することができる。
【００８０】
用語“メモリ”は、電子情報を格納することが可能なあらゆる電子コンポーネントを包含すると広義で解釈されるべきである。用語メモリは、様々なタイプのプロセッサによって読み取り可能な媒体、例えば、ランダムアクセスメモリ（ＲＡＭ）、読み取り専用メモリ（ＲＯＭ）、非揮発性ランダムアクセスメモリ（ＮＶＲＡＭ）、プログラマブル読み取り専用メモリ（ＰＲＯＭ）、消去可能プログラマブル読み取り専用メモリ（ＥＰＲＯＭ）、電気的消去可能ＰＲＯＭ（ＥＥＰＲＯＭ）、フラッシュメモリ、磁気記憶装置、光学記憶装置、レジスタ、等、を意味することができる。メモリは、プロセッサがそのメモリから情報を読み取ること及び／又はそのメモリに情報を書き込むことができる場合にそのプロセッサと電子的な通信状態にあると言われる。プロセッサと一体化されているメモリは、そのプロセッサと電子的な通信状態にある。
【００８１】
用語“命令”及び“符号”は、あらゆるタイプのコンピュータによって読み取り可能なステートメントを含むと広義で解釈されるべきである。例えば、用語“命令”及び“符号”は、１つ又は複数のプログラム、ルーチン、サブルーチン、関数、プロシージャ、等を意味することができる。“命令”及び“符号”は、単一のコンピュータによって読み取り可能なステートメント又は数多くのコンピュータによって読み取り可能なステートメントを備えることができる。
【００８２】
ここにおいて説明される機能は、ハードウェア、ソフトウェア、ファームウェア、又はそれらの組み合わせにおいて実装することができる。ソフトウェアにおいて実装される場合は、これらの機能は、１つ又は複数の命令としてコンピュータによって読み取り可能な媒体に格納することができる。用語“コンピュータによって読み取り可能な媒体”又は“コンピュータプログラムプロダクト”は、コンピュータによってアクセス可能であるあらゆる利用可能な媒体を意味する。一例として、及び限定することなしに、コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で所望のプログラムコードを搬送又は格納するために用いることができ及びコンピュータによってアクセス可能であるその他の媒体、を備えることができる。ここにおいて用いられるときのディスク（ｄｉｓｋ及びｄｉｓｃ）は、コンパクトディスク（ＣＤ）（ｄｉｓｃ）と、レーザディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは、通常は磁気的にデータを複製し、ｄｉｓｃは、レーザを用いて光学的にデータを複製する。
【００８３】
ソフトウェア又は命令は、送信媒体を通じて送信することもできる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、送信媒体の定義の中に含まれる。
【００８４】
ここにおいて開示される方法は、説明される方法を達成させるための１つ又は複数のステップ又は動作を備える。方法のステップ及び／又は動作は、請求項の適用範囲を逸脱することなしに互換することができる。換言すると、説明されている方法の適切な動作のためにステップ又は動作の特定の順序が要求されない限り、特定のステップ及び／又は動作の順序及び／又は使用は、請求項の適用範囲を逸脱することなしに変更することができる。
【００８５】
さらに、ここにおいて説明される方法及び技法、例えば、図４、５、７及び８によって示されるそれら、を実行するためのモジュール及び／又はその他の該当する手段は、デバイスによってダウンロードする及び／又はその他の方法で得ることができる。例えば、デバイスは、ここにおいて説明される方法を実行するための手段の転送を容易にするためにサーバに結合することができる。代替として、ここにおいて説明される様々な方法は、記憶手段（例えば、ランダムアクセスメモリ（ＲＡＭ）、読み取り専用メモリ（ＲＯＭ）、物理的記憶媒体、例えば、コンパクトディスク（ＣＤ）又はフロッピー（登録商標）ディスク、等）を介して提供することができ、従って、デバイスは、記憶手段をデバイスに結合又は提供した時点で様々な方法を得ることができる。さらに、ここにおいて説明される方法及び技法をデバイスに提供するためのその他のあらゆる適切な技法を利用することができる。
【００８６】
請求項は、上述される正確な構成及びコンポーネントに限定されないことが理解されるべきである。請求項の適用範囲を逸脱することなしにここにおいて説明されるシステム、方法、及び装置の配備、動作及び詳細の様々な修正、変更及び変形を行うことができる。
下記に出願時の請求項１−３８に対応した記載を付記１−３８として表記する。
付記１
所望のブロードキャストチャネルを得るための方法であって、
ブロードキャストネットワークからブロードキャストチャネルを受信することと、
ピアツーピアネットワークを通じて少なくとも１つのピアツーピアネットワークピアに前記受信されたブロードキャストチャネルを送信することと、
前記ピアツーピアネットワークを通じて少なくとも１つのピアツーピアネットワークピアから所望のブロードキャストチャネルを受信することと、
前記所望のブロードキャストチャネルを再生することと、
を備える方法。
付記２
前記ブロードキャストチャネルは、高精細度テレビ（ＨＤＴＶ）チャネルである付記１に記載の方法。
付記３
ルックアップテーブルを用いて受信されたブロードキャストチャネルのためのチャネルアドレスをピアツーピアネットワークチャネルに変換することをさらに備える付記１に記載の方法。
付記４
ルックアップテーブルを用いて前記受信されたブロードキャストチャネルを復号することをさらに備える付記１に記載の方法。
付記５
ブロードキャストネットワークからの前記受信されたブロードキャストチャネルは、協調多入力多出力（ＭＩＭＯ）を用いて変調される付記１に記載の方法。
付記６
前記受信されたブロードキャストチャネルの前記信号品質を向上させるために前記ピアツーピアネットワークのピアと協調することをさらに備える付記５に記載の方法。
付記７
前記ブロードキャストネットワークからブロードキャスト送信の一部のみを受信するために受信符号を用いることをさらに備え、前記ブロードキャスト送信は、１つ又は複数のブロードキャストチャネルを含む付記１に記載の方法。
付記８
ブロードキャストチャネルを受信するためにピアツーピアネットワークに登録することをさらに備え、前記方法は、モバイルデバイスによって実行され、ピアツーピアネットワークに登録することは、
前記モバイルデバイスが届く範囲内の１つ又は複数のピアツーピアネットワークを検出することと、
前記モバイルデバイスが届く範囲内のピアツーピアネットワークに登録することと、
前記モバイルデバイスが登録されている前記ピアツーピアネットワークのための入手可能なチャネル情報を要求することと、    
前記モバイルデバイスが登録されている前記ピアツーピアネットワークのための入手可能なチャネル情報を受信することと、    
ブロードキャストネットワークから受信するブロードキャストチャネルを決定することと、
を備える付記１に記載の方法。
付記９
前記ピアツーピアネットワークに新しいピアが加えられたときに前記ルックアップテーブルを更新することをさらに備える付記３に記載の方法。
付記１０
前記ピアツーピアネットワークからピアが外されたときに前記ルックアップテーブルを更新することをさらに備える付記３に記載の方法。
付記１１
前記所望のブロードキャストチャネルを再生することは、高精細度テレビ（ＨＤＴＶ）ビデオディスプレイ上に前記所望のブロードキャストチャネルを表示することを備える付記２に記載の方法。
付記１２
ブロードキャストチャネルを受信することは、前記ブロードキャストネットワークから複数のブロードキャストチャネルを受信することをさらに備える付記１に記載の方法。
付記１３
前記受信されたブロードキャストチャネルを送信することは、前記ピアツーピアネットワークを通じて複数のピアツーピアネットワークピアに前記受信されたブロードキャストチャネルを送信することをさらに備える付記１に記載の方法。
付記１４
前記所望のブロードキャストチャネルを受信することは、複数のピアツーピアネットワークピアから前記所望のブロードキャストチャネルを受信することをさらに備える付記１に記載の方法。
付記１５
ハイブリッドブロードキャスト及びピアツーピアネットワークにおける動作のために構成された無線デバイスであって、
プロセッサと、
前記プロセッサと電子的に通信するメモリと、
前記メモリに格納された命令と、を備え、前記命令は、
ブロードキャストネットワークからブロードキャストチャネルを受信し、
ピアツーピアネットワークを通じて少なくとも１つのピアツーピアネットワークピアに前記受信されたブロードキャストチャネルを送信し、
前記ピアツーピアネットワークを通じて少なくとも１つのピアツーピアネットワークから所望のブロードキャストチャネルを受信し、及び
前記所望のブロードキャストチャネルを再生するために前記プロセッサによって実行可能である、無線デバイス。
付記１６
前記ブロードキャストチャネルは、高精細度テレビ（ＨＤＴＶ）チャネルである付記１５に記載の無線デバイス。
付記１７
前記命令は、ルックアップテーブルを用いて受信されたブロードキャストチャネルのためのチャネルアドレスをピアツーピアネットワークチャネルに変換するためにさら実行可能である付記１５に記載の無線デバイス。
付記１８
前記命令は、ルックアップテーブルを用いて前記受信されたブロードキャストチャネルを復号するためにさらに実行可能である付記１５に記載の無線デバイス。
付記１９
ブロードキャストネットワークからの前記受信されたブロードキャストチャネルは、協調多入力多出力（ＭＩＭＯ）を用いて変調される付記１５に記載の無線デバイス。
付記２０
前記命令は、前記受信されたブロードキャストチャネルの前記信号品質を向上させるために前記ピアツーピアネットワークのピアと協調するためにさらに実行可能である付記１９に記載の無線デバイス。
付記２１
前記命令は、前記ブロードキャストネットワークからブロードキャスト送信の一部のみを受信するために受信符号を用いるためにさらに実行可能であり、前記ブロードキャスト送信は、１つ又は複数のブロードキャストチャネルを含む付記１５に記載の無線デバイス。
付記２２
前記命令は、ブロードキャストチャネルを受信するためにピアツーピアネットワークに登録するためにさらに実行可能であり、ピアツーピアネットワークに登録することは、
前記モバイルデバイスが届く範囲内の１つ又は複数のピアツーピアネットワークを検出することと、
前記モバイルデバイスが届く範囲内のピアツーピアネットワークに登録することと、
前記モバイルデバイスが登録されている前記ピアツーピアネットワークのための入手可能なチャネル情報を要求することと、
前記モバイルデバイスが登録されている前記ピアツーピアネットワークのための入手可能なチャネル情報を受信することと、
ブロードキャストネットワークから受信するブロードキャストチャネルを決定することと
を備える付記１５に記載の無線デバイス。
付記２３
前記命令は、前記ピアツーピアネットワークに新しいピアが加えられたときに前記ルックアップテーブルを更新するためにさらに実行可能である付記１７に記載の無線デバイス。
付記２４
前記命令は、前記ピアツーピアネットワークからピアが外されたときに前記ルックアップテーブルを更新するためにさらに実行可能である付記１７に記載の無線デバイス。
付記２５
前記所望のブロードキャストチャネルを再生することは、高精細度テレビ（ＨＤＴＶ）ビデオディスプレイ上に前記所望のブロードキャストチャネルを表示することを備える付記１６に記載の無線デバイス。
付記２６
ブロードキャストチャネルを受信するための前記命令は、前記ブロードキャストネットワークから複数のブロードキャストチャネルを受信するためにさらに実行可能である付記１５に記載の無線デバイス。
付記２７
前記受信されたブロードキャストチャネルを送信するための前記命令は、前記ピアツーピアネットワークを通じて複数のピアツーピアネットワークピアに前記受信されたブロードキャストチャネルを送信するためにさらに実行可能である付記１５に記載の無線デバイス。
付記２８
前記所望のブロードキャストチャネルを受信するための前記命令は、複数のピアツーピアネットワークピアから前記所望のブロードキャストチャネルを受信するためにさらに実行可能である付記１５に記載の無線デバイス。
付記２９
前記無線デバイスは、モデムである付記１５に記載の無線デバイス。
付記３０
前記無線デバイスは、ブロードキャストネットワーク及びピアツーピアネットワークと同時並行して通信することが可能なモデムである付記１５に記載の無線デバイス。
付記３１
ハイブリッドブロードキャスト及びピアツーピアネットワークにおける動作のために構成された無線デバイスであって、
ブロードキャストネットワークからブロードキャストチャネルを受信するための手段と、
ピアツーピアネットワークを通じて少なくとも１つのピアツーピアネットワークピアに前記受信されたブロードキャストチャネルを送信するための手段と、
前記ピアツーピアネットワークを通じて少なくとも１つのピアツーピアネットワークピアから所望のブロードキャストチャネルを受信するための手段と、
前記所望のブロードキャストチャネルを再生するための手段と、
を備える、無線デバイス。
付記３２
ハイブリッドブロードキャスト及びピアツーピアネットワークにおける動作のために構成された無線デバイスのためのコンピュータプログラムプロダクトであって、命令が格納されているコンピュータによって読み取り可能な媒体を備え、前記命令は、
ブロードキャストネットワークからブロードキャストチャネルを受信するための符号と、
ピアツーピアネットワークを通じて少なくとも１つのピアツーピアネットワークピアに前記受信されたブロードキャストチャネルを送信するための符号と、
前記ピアツーピアネットワークを通じて少なくとも１つのピアツーピアネットワークピアから所望のブロードキャストチャネルを受信するための符号と、
前記所望のブロードキャストチャネルを再生するための符号と、
を備える、コンピュータプログラムプロダクト。
付記３３
無線通信システムであって、
ブロードキャストネットワークと、
ピアツーピアネットワークと、を備え、前記ブロードキャストネットワークは、少なくとも１つのブロードキャスト送信機と、少なくとも２つの受信モバイルデバイスと、を備え、前記ブロードキャスト送信機は、前記受信モバイルデバイスのうちの少なくとも１つにブロードキャスト送信を送信し、前記ピアツーピアネットワークは、前記少なくとも２つの受信モバイルデバイスを備え、前記受信モバイルデバイスのうちの少なくとも１つは、前記ブロードキャスト送信機から前記ブロードキャスト送信を受信し、前記ブロードキャスト送信を受信する前記受信モバイルデバイスは、前記ピアツーピアネットワーク内のその他のモバイルデバイスと前記ブロードキャスト送信を共有する、無線通信システム。
付記３４
前記ピアツーピアネットワークにおける各モバイルデバイスは、仮想多入力多出力（ＭＩＭＯ）受信機における受信アンテナとして働く付記３３に記載の無線通信システム。
付記３５
前記ピアツーピアネットワークにおける各モバイルデバイスは、前記ブロードキャスト送信を復号するために協調する付記３３に記載の無線通信システム。
付記３６
前記ブロードキャスト送信は、高精細度テレビ（ＨＤＴＶ）チャネルである付記３３に記載の無線通信システム。
付記３７
前記少なくとも２つの受信モバイルデバイスは、ルックアップテーブルを用いて前記受信されたブロードキャスト送信を復号する付記３３に記載の無線通信システム。
付記３８
前記ルックアップテーブルは、追加の受信モバイルデバイスが前記ピアツーピアネットワークに加えられたときに更新される付記３７に記載の無線通信システム。
【図１】
0005389933.tif 000002
【図２】
0005389933.tif 000003
【図３】
0005389933.tif 000004
【図４】
0005389933.tif 000005
【図４Ａ】
0005389933.tif 000006
【図５】
0005389933.tif 000007
【図５Ａ】
0005389933.tif 000008
【図６】
0005389933.tif 000009
【図７】
0005389933.tif 000010
【図７Ａ】
0005389933.tif 000011
【図８】
0005389933.tif 000012
【図８Ａ】
0005389933.tif 000013
【図９】
0005389933.tif 000014
【図１０】
0005389933.tif 000015
【図１１】
0005389933.tif 000016
【図１２】
0005389933.tif 000017
【図１３】
0005389933.tif 000018